(57)【要約】【課題】輝度の向上及び製造コストの低コスト化を図ることのできる液晶装置を提供することを課題とする。【解決手段】上記の液晶装置は、液晶表示パネルと、照明装置と、を備える。液晶表示パネルは、１つの表示画素が複数のサブ画素で構成され、複数の色の着色層と非着色層が一つの表示画素を構成する複数のサブ画素にそれぞれ対応して配置されている。照明装置は、光源を有し、液晶表示パネルの非着色層が配置されたサブ画素において光を透過させる。光源より出射される光の波長−相対発光強度特性は、複数の色とは異なる色に対応した波長において相対発光強度のピーク値を含んでいる。これにより、表示画面における着色層が形成されないサブ画素の色の輝度を向上させることができると共に、製造コストを抑えることができる。【選択図】図４
2007279094.tif 000002
【特許請求の範囲】
【請求項１】
１つの表示画素が複数のサブ画素で構成され、複数の色の着色層と非着色層が前記一つ
の表示画素を構成する前記複数のサブ画素にそれぞれ対応して配置された液晶表示パネル
と、前記液晶表示パネルの前記非着色層が配置された前記サブ画素において光を透過させ
る光源を有した照明装置と、を備えた液晶装置であって、
前記複数の色に対応した各着色層の波長−透過率特性は、それぞれ所定の波長において
透過率のピーク値又は概ね飽和した値を有しており、前記光源より出射される光の波長−
相対発光強度特性は、前記複数の色とは異なる色に対応した波長において相対発光強度の
ピーク値を含んでいることを特徴とする液晶装置。
【請求項２】
前記複数の色に対応した各着色層の波長−透過率特性は、赤（Ｒ）に対応した波長帯域
において概ね透過率が飽和した値と、青（Ｂ）に対応した波長帯域において透過率のピー
ク値とを有しており、前記光源より出射される光の波長−相対発光強度特性は、緑（Ｇ）
に対応した波長帯域において相対発光強度のピーク値を含んでおり、該緑（Ｇ）に対応し
た波長帯域の光が前記非着色層の前記サブ画素を透過することを特徴とする請求項１に記
載の液晶装置。
【請求項３】
前記光源より出射される光は、波長が略４５０[ｎｍ]で相対発光強度が０．８５[a.u]
となるピークを有し、波長が５４０〜５６０[ｎｍ]の範囲で相対発光強度が０．３７[a.u
]となるピークを有することを特徴とする請求項２に記載の液晶装置。
【請求項４】
請求項１乃至３のいずれか一項に記載の液晶装置を表示部に備えることを特徴とする電
子機器。
【発明の詳細な説明】
【技術分野】
【０００１】
本発明は、各種情報の表示に用いるのに好適な液晶装置に関する。
【背景技術】
【０００２】
液晶装置においては、透過表示を行うために液晶表示パネルの背面側にバックライトと
して照明装置が設けられる。ＬＥＤ（Light Emitting Diode）などの光源を有する照明装
置は、白色光を液晶表示パネルの背面側に照射する。液晶装置は、バックライトより照射
された白色光を、液晶表示パネルの基板上に積層されている赤（Ｒ）、緑（Ｇ）、青（Ｂ
）のそれぞれの波長の光を透過するカラーフィルタに透過させることにより、カラー表示
を実現している。特許文献１に記載の液晶装置では、標準Ｃ光源からの透過光をカラーフ
ィルタ全体として無彩色とし、かつ標準Ｃ光源による可視光透過率を３０〜６５％とする
ことで、発色性能を維持しつつ輝度を向上させている。
【０００３】
【特許文献１】特開２００１−３３７７２号公報
【発明の開示】
【発明が解決しようとする課題】
【０００４】
しかしながら、上記の液晶装置では、ＲＧＢの各色のカラーフィルタを有しているため
、照明装置からの光は、ＲＧＢの各色のカラーフィルタを透過することにより輝度が低下
してしまう。また、上記の液晶装置では、ＲＧＢの各色のカラーフィルタを形成するため
、その分の製造コストがかかる。
【０００５】
本発明は上記の点に鑑みてなされたものであり、輝度の向上及び製造コストの低コスト
化を図ることのできる液晶装置を提供することを課題とする。
【課題を解決するための手段】
【０００６】
本発明の１つの観点では、液晶装置は、１つの表示画素が複数のサブ画素で構成され、
複数の色の着色層と非着色層が前記一つの表示画素を構成する前記複数のサブ画素にそれ
ぞれ対応して配置された液晶表示パネルと、前記液晶表示パネルの前記非着色層が配置さ
れた前記サブ画素において光を透過させる光源を有した照明装置と、を備えた液晶装置で
あって、前記複数の色に対応した各着色層の波長−透過率特性は、それぞれ所定の波長に
おいて透過率のピーク値又は概ね飽和した値を有しており、前記光源より出射される光の
波長−相対発光強度特性は、前記複数の色とは異なる色に対応した波長において相対発光
強度のピーク値を含んでいる。
【０００７】
上記の液晶装置は、液晶表示パネルと、照明装置と、を備える。前記液晶表示パネルは
、１つの表示画素が複数のサブ画素で構成され、複数の色の着色層と非着色層が前記一つ
の表示画素を構成する前記複数のサブ画素にそれぞれ対応して配置されている。非着色層
とは、着色層が形成されず代わりに保護層が積層される層という意味である。前記照明装
置は、光源を有し、前記液晶表示パネルの前記非着色層が配置された前記サブ画素におい
て光を透過させる。光源としては、例えばＬＥＤ（Light Emitting Diode）が用いられる
。前記複数の色に対応した各着色層の波長−透過率特性は、それぞれ所定の波長において
透過率のピーク値又は概ね飽和した値を有しており、前記光源より出射される光の波長−
相対発光強度特性は、前記複数の色とは異なる色に対応した波長において相対発光強度の
ピーク値を含んでいる。これにより、表示画面における着色層が形成されないサブ画素の
色の輝度を向上させることができる。また、本実施形態に係る液晶装置では、各色の着色
層を形成する際、一色分の着色層を形成する工程を省くことができるので、製造コストを
抑えることができる。
【０００８】
上記の液晶装置の一態様は、前記複数の色に対応した各着色層の波長−透過率特性は、
赤（Ｒ）に対応した波長帯域において概ね透過率が飽和した値と、青（Ｂ）に対応した波
長帯域において透過率のピーク値とを有しており、前記光源より出射される光の波長−相
対発光強度特性は、緑（Ｇ）に対応した波長帯域において相対発光強度のピーク値を含ん
でおり、該緑（Ｇ）に対応した波長帯域の光が前記非着色層の前記サブ画素を透過する。
これにより、人間の視感度の高いＧの色の光の輝度を上げることができ、観測者にとって
明るく見易い液晶装置を実現することができる。
【０００９】
上記の液晶装置の他の一態様は、前記光源より出射される光は、波長が略４５０[ｎｍ]
で相対発光強度が０．８５[a.u]となるピークを有し、波長が５４０〜５６０[ｎｍ]の範
囲で相対発光強度が０．３７[a.u]となるピークを有する。これにより、液晶装置の白色
点をＤ６５と呼ばれる理想的な白色点にすることができる。
【００１０】
本発明の更なる他の観点では、上記の電気光学装置を表示部に備えることを特徴とする
電子機器を構成することができる。
【発明を実施するための最良の形態】
【００１１】
以下、図面を参照して本発明を実施するための最良の形態について説明する。
【００１２】
[液晶装置の構成]
まず、図１及び図２を参照して、本実施形態に係る液晶装置１００の構成等について説
明する。
【００１３】
図１は、本実施形態に係る液晶装置１００の概略構成を模式的に示す平面図である。図
１では、紙面手前側（観察側）にカラーフィルタ基板９２が、また、紙面奥側に素子基板
９１が夫々配置されている。なお、図１では、紙面縦方向（列方向）をＹ方向と、また、
紙面横方向（行方向）をＸ方向と規定する。また、図１において、Ｒ（赤）、Ｇ（緑）、
Ｂ（青）に対応する各領域は１つのサブ画素ＳＧを示していると共に、ＲＧＢに対応する
１行３列のサブ画素ＳＧは、１つの表示画素ＡＧを示している。
【００１４】
図２は、液晶装置１００における切断線Ａ−Ａ´に沿った１つの表示画素ＡＧの拡大断
面図である。図２に示すように、液晶装置１００は、照明装置１０と、液晶表示パネル３
０より構成される。液晶表示パネル３０は、素子基板９１と、その素子基板９１に対向し
て配置されるカラーフィルタ基板９２とが枠状のシール材５を介して貼り合わされ、その
シール材５の内側に液晶が封入されて液晶層４が形成されてなる。液晶層４に用いられる
液晶は、例えばＴＮ（Twisted Nematic）型液晶である。液晶表示パネル３０の素子基板
９１の外面上には、照明装置１０が備えられている。
【００１５】
本実施形態に係る液晶装置１００は、Ｒ、Ｇ、Ｂの３色を用いて構成されるカラー表示
用の液晶装置であると共に、スイッチング素子としてα−Ｓｉ型ＴＦＴ（Thin Film Tran
sistor）素子を用いたアクティブマトリクス駆動方式の液晶装置である。
【００１６】
素子基板９１の平面構成について説明する。素子基板９１の内面上には、主として、複
数のソース線３２、複数のゲート線３３、複数のα−Ｓｉ型ＴＦＴ素子３７、複数の画素
電極３４、ドライバＩＣ４０、外部接続用配線３５及びＦＰＣ（Flexible Printed Circu
it）４１などが形成若しくは実装されている。
【００１７】
図１に示すように、素子基板９１は、カラーフィルタ基板９２の一辺側から外側へ張り
出してなる張り出し領域３１を有しており、その張り出し領域３１上には、ドライバＩＣ
４０が実装されている。ドライバＩＣ４０の入力側の端子（図示略）は、複数の外部接続
用配線３５の一端側と電気的に接続されていると共に、複数の外部接続用配線３５の他端
側はＦＰＣ４１と電気的に接続されている。各ソース線３２は、Ｙ方向に延在するように
且つＸ方向に適宜の間隔をおいて形成されており、各ソース線３２の一端側は、ドライバ
ＩＣ４０の出力側の端子（図示略）に電気的に接続されている。
【００１８】
各ゲート線３３は、Ｙ方向に延在するように形成された第１配線３３ａと、その第１配
線３３ａの終端部からＸ方向に延在するように形成された第２配線３３ｂとを備えている
。各ゲート線３３の第２配線３３ｂは、各ソース線３２と交差する方向、即ちＸ方向に延
在するように且つＹ方向に適宜の間隔をおいて形成されており、各ゲート線３３の第１配
線３３ａの一端側は、ドライバＩＣ４０の出力側の端子（図示略）に電気的に接続されて
いる。各ソース線３２と各ゲート線３３の第２配線３３ｂの交差に対応する位置にはα−
ＴＦＴ素子３７が設けられており、各α−ＴＦＴ素子３７は各ソース線３２、各ゲート線
３３及び各画素電極３４等に電気的に接続されている。各α−ＴＦＴ素子３７、各画素電
極３４は、ガラスなどの基板１上の各サブ画素ＳＧに対応する位置に設けられている。各
画素電極３４は、例えばＩＴＯ（Indium-Tin Oxide）などの透明導電材料により形成され
ている。
【００１９】
１つの表示画素ＡＧがＸ方向及びＹ方向に複数個、マトリクス状に並べられた領域が有
効表示領域Ｖ（２点鎖線により囲まれる領域）である。この有効表示領域Ｖに、文字、数
字、図形等の画像が表示される。なお、有効表示領域Ｖの外側の領域は表示に寄与しない
額縁領域３８となっている。また、各ソース線３２、各ゲート線３３、各α−ＴＦＴ素子
３７、及び各画素電極３４等の内面上には、図示しない配向膜が形成されている。
【００２０】
次に、カラーフィルタ基板９２の平面構成について説明する。図２に示すように、カラ
ーフィルタ基板９２は、ガラスなどの基板２上に、遮光層（一般に「ブラックマトリクス
」と呼ばれ、以下では、単に「ＢＭ」と略記する）、着色層６Ｒ、６Ｂ及び共通電極８な
どを有する。ＢＭは、各色のサブ画素ＳＧを区画する位置に形成されている。なお、以下
の説明もしくは図面において、ＲＧＢの色を特定することなく構成要素を示す場合には、
単に「着色層６」のように記し、ＲＧＢの色を区別して構成要素を示す場合には、例えば
「着色層６Ｒ」のように記すこととする。
【００２１】
Ｒ、Ｂの各色のサブ画素ＳＧは、着色層６Ｒ、６Ｂの夫々を有している。この着色層６
Ｒ、６Ｂが、夫々の色のカラーフィルタとして機能する。しかし、本実施形態に係る液晶
装置１００では、Ｇのサブ画素ＳＧは、着色層を有さない。カラーフィルタ基板９２は、
基板２上に、ＢＭ、及び着色層６Ｒ、６Ｂが形成された後、更に透明な樹脂などを材料と
する保護層７が形成される。この保護層７はトップコート層とも呼ばれる。Ｇのサブ画素
ＳＧには、図２に示すように、着色層が形成されない分、保護層７が基板２上に直接積層
される。このようにして、カラーフィルタ基板９２は、基板２上に保護層７が形成された
後、その内面上に共通電極８が形成される。
【００２２】
共通電極８は、画素電極と同様にＩＴＯなどの透明導電材料からなり、カラーフィルタ
基板９２の略一面に亘って形成されている。共通電極８は、シール材５の隅の領域Ｅ１に
おいて配線３６の一端側と電気的に接続されていると共に、当該配線３６の他端側は、ド
ライバＩＣ４０のＣＯＭに対応する出力端子と電気的に接続されている。
【００２３】
次に、照明装置１０について説明する。照明装置１０は、導光板１１と光源部１２より
構成される。光源部１２は、導光板１１の端面１１ｃに対し光Ｌを出射する。光源部１２
は、光源として複数のＬＥＤ（Light Emitting Diode）１３を有する。後に詳しく述べる
が、ＬＥＤ１３は、シングルチップ方式のＬＥＤであり、完全な白色ではなく、緑色にシ
フトした光Ｌを出射する。
【００２４】
図２に示すように、光源部１２より出射した光Ｌは、導光板１１の端面（以下、「入光
端面」と称す）１１ｃより導光板１１内へ入り、導光板１１の出射面１１ａ、反射面１１
ｂで反射を繰り返すことにより方向を変える。光Ｌは、導光板１１の出射面１１ａと光Ｌ
のなす角が臨界角を超えると、導光板１１の出射面１１ａより液晶表示パネル３０へ向け
て出射する。
【００２５】
導光板１１の出射面１１ａより液晶表示パネル３０へ向けて出射した光Ｌは、液晶表示
パネル３０を透過する。液晶装置１００は、光Ｌが液晶表示パネル３０を透過することに
よって照明される。これにより、液晶装置１００は、文字、数字、図形等の画像を表示す
ることができ、観測者が画像を視認することができる。
【００２６】
液晶装置１００では、電子機器のメイン基板等と接続されたＦＰＣ４１側からの信号及
び電力等に基づき、ドライバＩＣ４０によって、Ｇ１、Ｇ２、・・・、Ｇｍ−１、Ｇｍ（
ｍは自然数）の順にゲート線３３が順次排他的に１本ずつ選択されるとともに、選択され
たゲート線３３には、選択電圧のゲート信号が供給される一方、他の非選択のゲート線３
３には、非選択電圧のゲート信号が供給される。そして、ドライバＩＣ４０は、選択され
たゲート線３３に対応する位置にある画素電極３４に対し、表示内容に応じたソース信号
を、それぞれ対応するＳ１、Ｓ２、・・・、Ｓｎ−１、Ｓｎ（ｎは自然数）のソース線３
２及びα−ＴＦＴ素子３７を介して供給する。その結果、液晶層４の配向状態が制御され
、液晶装置１００の表示状態が、非表示状態または中間表示状態に切り替えられることと
なる。
【００２７】
なお、本実施形態に係る液晶装置１００は、完全透過型の液晶装置として示しているが
、これに限られず、代わりに半透過反射型の液晶装置を用いるとすることもできる。液晶
表示パネル３０は、スイッチング素子として、α−ＴＦＴ素子３７を用いるとしているが
、これに限られず、代わりにポリシリコンＴＦＴやＴＦＤ（Thin Film Diode）素子を用
いるとすることもできる。
【００２８】
また、液晶表示パネル３０としては、上述したようなＴＮ液晶からなる液晶層を有する
液晶表示パネルには限られず、代わりに、ＶＡ（Vertical Alignment）方式、ＩＰＳ（In
Plane Switching）方式、ＦＦＳ（Fringe Field Structure）方式などの液晶表示パネル
を用いるとすることもできる。
【００２９】
（カラーフィルタの透過率）
まず、一般的な液晶装置におけるカラーフィルタの透過率について述べる。図３は、Ｒ
ＧＢのそれぞれのカラーフィルタの透過率を示している。図３において、横軸は光の波長
[ｎｍ]を示し、縦軸は透過率[％]を示している。図３が示すように、ＲＧＢのそれぞれの
カラーフィルタの透過率は、それぞれＲＧＢの各色の波長の範囲で透過率が最も高くなる
性質を有している。よって、液晶装置では、ＲＧＢの各色を表示する場合、各色の着色層
６が各色の波長の範囲にある光のみを透過することにより、カラー表示を行うことができ
る。
【００３０】
しかしながら、ＲＧＢの各カラーフィルタの透過率は、図３から分かるように、９０％
程度となるので、照明装置から出射した光は、カラーフィルタを透過することにより、そ
の輝度が低下してしまう。
【００３１】
そこで、本実施形態に係る液晶装置１００では、先にも述べたように、Ｇのサブ画素に
は着色層が形成されず、照明装置１０は、表示パネル３０を、Ｇの色にシフトした光を透
過させることにより照明する。つまり、本実施形態に係る液晶装置１００では、照明装置
１０からの光Ｌを着色層６Ｒ、６Ｂに透過させることにより、表示画面にＲ、Ｂの色を表
示し、照明装置１０からの光Ｌの色を、着色層を通さずに、表示画面に直接表示すること
により、Ｇの色を表示する。これにより、本実施形態に係る液晶表示１００は、表示画面
上におけるＧの色の光の輝度を上げることができる。Ｇの色の光は、人間の視感度が高い
。従って、Ｇの色の光の輝度を上げることにより、観測者にとって明るく見易い液晶装置
を実現することができる。
【００３２】
図４は、本実施形態に係る液晶装置１００におけるカラーフィルタの透過率と、照明装
置１０より出射される光の分光スペクトルを示している。図４において、横軸は光の波長
[ｎｍ]を示し、左側の縦軸は透過率[％]を示し、右側の縦軸は照明装置１０より出射され
る光の相対発光強度[a.u]を示している。相対発光強度とは、ＬＥＤの全発光強度で規格
化した発光強度である。
【００３３】
図４において、グラフ３０１Ｒは、着色層６Ｒの赤（Ｒ）に対応した波長帯域における
透過率を示し、グラフ３０１Ｂは、着色層６Ｂの青（Ｂ）に対応した波長帯域における透
過率を示す。グラフ３０１Ｒは、略６３０ｎｍ以上の波長帯域で透過率９０％以上でほぼ
特性が飽和しており、グラフ３０１Ｂは、略４５０ｎｍ（青Ｂに対応した波長）で透過率
９０％に達するピーク値を有している。グラフ２０１は、一般的なシングルチップ方式の
白色ＬＥＤの分光スペクトルを示す。一般的なシングルチップ方式の白色ＬＥＤは、青色
ＬＥＤからの青色光でＹＡＧ（イットリウム・アルミニウム・ガーネット）系蛍光体を励
起することによって黄色光を生成し、青色光と黄色光を混光することで白色光を照射する
。
【００３４】
グラフ２０２は、ＬＥＤ１３の分光スペクトルを示す。ＬＥＤ１３は、図４より分かる
ように、一般的なシングルチップ方式の白色ＬＥＤにおいて、ＹＡＧ系蛍光体を増やすこ
とにより、波長が５４０〜５６０ｎｍの範囲における相対発光強度を高めている。これに
より、ＬＥＤ１３は、白色光よりも緑がかった色の光を出射する。具体的には、ＬＥＤ１
３は、波長が略４５０ｎｍ（青Ｂに対応した波長）で相対発光強度が０．８５[a.u]とな
るピークを有し、波長が５４０〜５６０ｎｍの範囲（緑Ｇに対応した波長帯域）で相対発
光強度が０．３７[a.u]となるピークを有する。この場合には、液晶装置１００の表示画
面における輝度の向上率は、８．５２[％]となる。
【００３５】
図５は、本実施形態に係る液晶装置１００による色再現範囲を国際照明委員会（ＣＩＥ
）の色度図上に示している。
【００３６】
色再現範囲４０１は、人間の目の波長感度特性による色再現範囲であり、人間が見分け
ることのできる色再現範囲を示している。色再現範囲４０２は、ＮＴＳＣ（National Tel
evision System Committee）方式の表示装置で再現できる色再現範囲を示している。色再
現範囲５０１は、本実施形態に係る、図４のグラフ２０２で示される分光スペクトルを有
するＬＥＤ１３を備えた液晶装置１００により達成される色再現範囲である。
【００３７】
色再現範囲５０１は、点５０１Ｒで示すＲの色度座標（Ｘ、Ｙ）＝（０．６４６、０．
３３１）、点５０１Ｇで示すＧの色度座標（Ｘ、Ｙ）＝（０．３２９、０．３７７）、点
５０１Ｂで示すＢの色度座標（Ｘ、Ｙ）＝（０．１７３、０．２２７）で規定される三角
形で囲まれる範囲である。このときの白色点の色度座標は、点Ｗａで示す色度座標（０．
３１、０．３３）となる。点Ｗａは、Ｄ６５と呼ばれる太陽光を光源として白色表示を行
った場合の理想的な白色点と同じ色度座標となる。即ち、波長が略４５０ｎｍで相対発光
強度が０．８５[a.u]となるピークを有し、波長が５４０〜５６０ｎｍの範囲で相対発光
強度が０．３７[a.u]となるピークを有するＬＥＤ１３を光源として用いることにより、
本実施形態に係る液晶装置１００は、理想的な白色表示を実現することができる。
【００３８】
以上に述べたことから分かるように、本実施形態に係る液晶装置は、液晶表示パネルに
おいて、１つの表示画素が複数のサブ画素で構成され、複数の色の着色層と着色層の代わ
りに保護層が積層された非着色層が前記一つの表示画素を構成する複数のサブ画素にそれ
ぞれ対応して配置されている。本実施形態に係る液晶装置における照明装置は、液晶表示
パネルの非着色層が配置されたサブ画素において光を透過させる。複数の色に対応した各
着色層の波長−透過率特性は、それぞれ所定の波長において透過率のピーク値又は概ね飽
和した値を有しており、光源より出射される光の波長−相対発光強度特性は、複数の色と
は異なる色に対応した波長において相対発光強度のピーク値を含んでいる。これにより、
表示画面における着色層が形成されないサブ画素の色の輝度を向上させることができる。
【００３９】
また、カラーフィルタ基板は、ガラスなどの基板上にＢＭを形成した後、各色毎に感光
性樹脂の色材を塗布し、フォトリソグラフィー法などを用いることにより、各色の着色層
が形成される。本実施形態に係る液晶装置では、各色の着色層を形成する際、一色分の着
色層を形成する工程を省くことができるので、製造コストを抑えることができる。
【００４０】
[変形例]
上述した実施形態では、照明装置１０のＬＥＤ１３として、１チップのＬＥＤを用いる
としているがこれに限られない。代わりに、ＬＥＤ１３として、ＲＧＢの３色のＬＥＤを
用いるとしてもよい。この場合、例えば、液晶装置１００において、Ｇの色のサブ画素に
着色層が形成されないとした場合には、Ｇの色のＬＥＤの発光強度を上げて、ＲＧＢの３
色のＬＥＤより出射され混光された光が、緑がかった光となるようにすればよい。これに
よっても、上述した実施形態と同様の効果を得ることができる。
【００４１】
また、上述した実施形態では、Ｇのサブ画素ＳＧには、着色層が形成されない分、保護
層７が基板２上に直接積層されるとしているが、これに限られるものではなく、代わりに
、透明樹脂が基板２上に着色層６Ｒ、６Ｂと同様の厚さで積層されるとしてもよいのは言
うまでもない。
【００４２】
[電子機器]
次に、本実施形態に係る液晶表示装置を電子機器の表示装置として用いる場合の実施形
態について説明する。
【００４３】
まず、本発明に係る液晶表示装置１００を、可搬型のパーソナルコンピュータ（いわゆ
るノート型パソコン）の表示部に適用した例について説明する。図６（ａ）は、このパー
ソナルコンピュータの構成を示す斜視図である。同図に示すように、パーソナルコンピュ
ータ７１０は、キーボード７１１を備えた本体部７１２と、本発明に係る液晶表示装置１
００を適用した表示部７１３とを備えている。
【００４４】
続いて、本発明に係る液晶表示装置１００を、携帯電話機の表示部に適用した例につい
て説明する。図６（ｂ）は、この携帯電話機の構成を示す斜視図である。同図に示すよう
に、携帯電話機７２０は、複数の操作ボタン７２１のほか、受話口７２２、送話口７２３
とともに、本発明に係る液晶表示装置１００を適用した表示部７２４を備える。
【００４５】
なお、本発明に係る液晶表示装置１００を適用可能な電子機器としては、図６（ａ）に
示したパーソナルコンピュータや図６（ｂ）に示した携帯電話機の他にも、液晶テレビ、
ビューファインダ型・モニタ直視型のビデオテープレコーダ、カーナビゲーション装置、
ページャ、電子手帳、電卓、ワードプロセッサ、ワークステーション、テレビ電話、ＰＯ
Ｓ端末、ディジタルスチルカメラなどが挙げられる。
【図面の簡単な説明】
【００４６】
【図１】本実施形態に係る液晶装置の平面図である。
【図２】本実施形態に係る液晶装置の断面図である。
【図３】一般的な液晶装置のカラーフィルタの特性を示す図である。
【図４】本実施形態のカラーフィルタ及びＬＥＤの分光スペクトルを示している。
【図５】本実施形態に係る液晶装置の色再現範囲を示す色度図である。
【図６】本実施形態の液晶装置を適用した電子機器の例を示す図である。
【符号の説明】
【００４７】
１２  光源部、  １３  ＬＥＤ、  １０  照明装置、  １５  電流制御回路、  １６  
光センサ、  ３０  液晶表示パネル、  １００  液晶装置
【図１】
2007279094.tif 000003
【図２】
2007279094.tif 000004
【図３】
2007279094.tif 000005
【図４】
2007279094.tif 000006
【図５】
2007279094.tif 000007
【図６】
2007279094.tif 000008